(57)【特許請求の範囲】
【請求項１】
ベースと同ベースの前面に装着される前面パネルと、同前面パネルの前面に開閉又は着脱可能に取り付けられる吸込グリルとで本体を構成し、前記前面パネルの前面および上面とに夫々吸込口を設け、前面下部に吹出口を設け、これら吸込口と吹出口とを結ぶ空気通路に、側面視で逆Ｖ字状をなす熱交換器と、前記熱交換器の風下側に再熱用ヒータと、送風ファンとを設け、
前記吸込グリルに、同吸込グリルに回動自在に軸支されて、前記前面吸込口の下部を下端から開閉する開閉蓋と、同前面吸込口の上部を上端から開閉するように上下に配置された複数の第一吸込ルーバと、前記上面吸込口を前端から開閉するように前後に配置された複数の第二吸込ルーバとを備え、
前記前面パネルの裏面に、前記開閉蓋、第一吸込ルーバ及び第二吸込ルーバをそれぞれ回動させる駆動部を設けてなる空気調和機において、
前記開閉蓋を、その重心が同開閉蓋を閉じた状態で、回動軸からの垂線より前方となるように構成してなることを特徴とする空気調和機。
【請求項２】
前記開閉蓋の前記回動軸より後方に連結レバーを設ける一方、前記吸込グリルの裏面に、前記連結レバーに着脱自在に連結して同連結レバーを上下させる連結部を有する摺動板と、同摺動板を摺動自在に吸込グリルの裏面に固定する摺動板押さえとを設け、前記摺動板を前記駆動部に連結して、同駆動部により摺動板を上下させることにより前記開閉蓋を開閉するようにしてなることを特徴とする請求項１記載の空気調和機。
【請求項３】
前記駆動部が、前記摺動板を係脱自在に係止し、回転トルクを上下トルクに変換して同摺動板を摺動する方向変換部と、同方向変換部に回転トルクを与えるステッピングモータとで構成されてなることを特徴とする請求項１記載の空気調和機。
【請求項４】
前記摺動板が、コイルバネにより上方に付勢されてなることを特徴とする請求項３記載の空気調和機。
【請求項５】
前記コイルバネが引っ張りバネであることを特徴とする請求項４記載の空気調和機。
【請求項６】
前記コイルバネが圧縮バネであることを特徴とする請求項４記載の空気調和機。
【請求項７】
前記開閉蓋の回動軸に、同開閉蓋を閉じる方向に付勢するネジリコイルバネを設けたことを特徴とする請求項１記載の空気調和機。
【発明の詳細な説明】
【０００１】
【発明の属する技術分野】
本発明は、除湿効率を改善した空気調和機に係り、とくに、前面に開閉蓋を有するものに関する。
【０００２】
【従来の技術】
従来、空気調和機は、図１に示すように、本体１をベース２と同ベース２の前面に装着される前面パネル３と、同前面パネル３の前面に開閉又は着脱可能に取り付けられる吸込グリル３’とで構成している。
前記前面パネル３の前面および上面と、これら前面および上面との間に夫々吸込口４（４ａ、４ｂ、４ｃ）を設け、前面下部に吹出口５を設け、これら吸込口４と吹出口５とを結ぶ空気通路６に、垂直部７ａと、同垂直部７ａの上端を後方に傾斜した後方傾斜部７ｂと、同後方傾斜部７ｂの後端を下方に傾斜した下方傾斜部７ｃとからなる熱交換器７と、前記熱交換器７の後方傾斜部７ｂと下方傾斜部７ｃとの風下側の境界近傍に配置される再熱用ヒータ８と、送風ファン９とを設けている。
前記吸込グリル３’に、同吸込グリル３’に回動自在に軸支されて、前記前面吸込口４ａの下部４ｄを下方から開閉するように配置された開閉蓋１２と、同前面吸込口４ａの上部を上方から開閉するように配置された複数の第一吸込ルーバ１０と、前記上面吸込口４ｂを前方から開閉するように前後に配置された複数の第二吸込ルーバ１１とを備えてている。
そして、前記第一吸込ルーバ１０、前記第二吸込ルーバ１１及び前記開閉蓋１２は閉じた状態で、前面パネル３の各吸込口（前面吸込口４ａ、上面吸込口４ｂ及び前面吸込口４ａの下部４ｄ）の縁に当接されるようになっている。
除湿運転時には、例えば、図示しない制御部が、前記第一吸込ルーバ１０を閉じて、前面吸込口４ａの上部を隠蔽し、前記第二吸込ルーバ１１及び前記開閉蓋１２を開放して前記上面吸込口４ｂ及び前面吸込口４ａの下部４ｄを開放する。
そして、前記熱交換器７の垂直部７ａに冷媒を流して蒸発器として動作させ、後方傾斜部７ｂと下方傾斜部７ｃには冷媒を流さないか、又は垂直部７ａで蒸発して暖められた冷媒を流し、また、前記再熱用ヒータ８に電流を流すように制御される。
このように制御されることにより、第二吸込ルーバ１１を介して上面吸込口４ｂより吸い込まれた室内空気は熱交換器７の後方傾斜部７ｂと下方傾斜部７ｃを通過してもあまり冷やされず、この通過した空気は再熱用ヒータ８により暖められる。
一方、前記開閉蓋１２を介して前面吸込口４ａの下部４ｄから吸い込まれた空気は、前記熱交換器７の垂直部７ａにより冷やされて、空気中の水分が凝縮されて取り除かれ、この冷やされた空気は、送風機９により撹拌されて前記再熱用ヒータ８により暖められた空気と混合され、吹出口５から室内に送風される。
しかるに、前記開閉蓋１２は吹出口５に極めて近接して設けられているため、吹出口５に設けられている上下風向板４１を上方に向けることにより、吹出口５から前面吸込口４ａの下部４ｄに戻るショートサーキットが形成されて効率よく除湿され、この除湿された空気が室内に送風される。
しかし、この構成では、前記開閉蓋１２を閉じた状態で、同開閉蓋１２が極めて弱い力で前記前面パネル３に当接されているため、空気調和機が何らかの原因で振動すると、同開閉蓋１２が振動してと前記前面パネル３を叩いてビビリ音が発生するという問題があった。
【０００３】
【発明が解決しようとする課題】
本発明は以上述べた問題点を解決し、開閉蓋から発生するビビリ音の発生を防止することのできる空気調和機を提供することを目的としている。
【０００４】
【課題を解決するための手段】
本発明は上述の課題を解決するため、ベースと同ベースの前面に装着される前面パネルと、同前面パネルの前面に開閉又は着脱可能に取り付けられる吸込グリルとで本体を構成し、前記前面パネルの前面および上面とに夫々吸込口を設け、前面下部に吹出口を設け、これら吸込口と吹出口とを結ぶ空気通路に、側面視で逆Ｖ字状をなす熱交換器と、前記熱交換器の風下側に再熱用ヒータと、送風ファンとを設け、
前記吸込グリルに、同吸込グリルに回動自在に軸支されて、前記前面吸込口の下部を下端から開閉する開閉蓋と、同前面吸込口の上部を上端から開閉するように上下に配置された複数の第一吸込ルーバと、前記上面吸込口を前端から開閉するように前後に配置された複数の第二吸込ルーバとを備え、
前記前面パネルの裏面に、前記開閉蓋、第一吸込ルーバ及び第二吸込ルーバをそれぞれ回動させる駆動部を設けてなる空気調和機において、
前記開閉蓋を、その重心が同開閉蓋を閉じた状態で、回動軸からの垂線より前方となるように構成してなる空気調和機としている。
【０００５】
前記開閉蓋の前記回動軸より後方に連結レバーを設ける一方、前記吸込グリルの裏面に、前記連結レバーに着脱自在に連結して同連結レバーを上下させる連結部を有する摺動板と、同摺動板を摺動自在に吸込グリルの裏面に固定する摺動板押さえとを設け、前記摺動板を前記駆動部に連結して、同駆動部により摺動板を上下させることにより前記開閉蓋を開閉するようにしてなる空気調和機としている。
【０００６】
前記駆動部が、前記摺動板を係脱自在に係止し、回転トルクを上下トルクに変換して同摺動板を摺動する方向変換部と、同方向変換部に回転トルクを与えるステッピングモータとで構成されてなる空気調和機としている。
【０００７】
前記摺動板が、コイルバネにより上方に付勢されてなる空気調和機としている。
【０００８】
前記コイルバネが引っ張りバネである空気調和機としている。
【０００９】
前記コイルバネが圧縮バネである空気調和機としている。
【００１０】
前記開閉蓋の回動軸に、同開閉蓋を閉じる方向に付勢するネジリコイルバネを設けた空気調和機としている。
【００１１】
【発明の実施の形態】
以下、図面に基づいて本発明による空気調和機を詳細に説明する。
図１は本発明による空気調和機の一実施例を示す要部側断面図、図２は同要部拡大図である。
図に示すように、本体１は据付具により壁に取り付けられるベース２と、同ベース２の前面に装着される前面パネル３と、同前面パネル３の前面に回動自在又は着脱可能に取り付けられる吸込グリル３’とで構成されている。
前記前面パネル３の前面および上面と、これら前面および上面との間には夫々吸込口４（前面吸込口の上部４ａ、上面吸込口４ｂ、中間吸込口４ｃ、前面吸込口の下部４ｄ）が設けられ、前面下部には吹出口５が設けられている。
そして、前記吸込口４と吹出口５とを結ぶ空気通路６には、例えば、垂直部７ａと、同垂直部７ａの上端を後方に傾斜した後方傾斜部７ｂと、同後方傾斜部７ｂの後端を下方に傾斜した下方傾斜部７ｃとからなり、側面視で逆Ｖ字状をなす熱交換器７と、前記熱交換器７の後方傾斜部７ｂと下方傾斜部７ｃとの風下側の境界近傍に配置される再熱用ヒータ８と、送風ファン９とを配設している。
【００１２】
前記吸込グリル３’には、同吸込グリル３’に回動自在に軸支されて、前記前面吸込口の下部４ｄを下方から開閉するように配置された開閉蓋１２と、同前面吸込口の上部４ａを上方から開閉するように配置された複数の第一吸込ルーバ１０と、前記上面吸込口４ｂを前方から開閉するように前後に配置された複数の第二吸込ルーバ１１とを備えている。
【００１３】
前記前面パネル３には、前記開閉蓋１２、第一吸込ルーバ１０及び第二吸込ルーバ１１をそれぞれ回動させる駆動部が設けられている。
また、前記吸込グリル３’の前記開閉蓋１２の回動軸１２ａの後方には連結レバー１２ｂと、同連結レバー１２ｂに着脱自在に連結して同連結レバー１２ｂを上下させる連結部１３ａを有する摺動板１３が設けられている。
前記摺動板１３は摺動板押さえ１４により摺動自在に吸込グリル３’の裏面に固定されている。
また、前記駆動部は、前記摺動板１３を係脱自在に係止し、回転トルクを上下トルクに変換して同摺動板１３を摺動する方向変換部１５と、同方向変換部１５に回転トルクを与えるステッピングモータ１６とで構成されている。
【００１４】
以上の構成において、前記ステッピングモータ１６を回転させることにより、前記方向変換部１５が前記摺動板１３を上下に摺動させ、同摺動板１３の連結部１３ａが前記連結レバー１２ｂを上下させる。
そして、前記連結レバー１２ｂが上下することにより、前記開閉蓋１２が回動軸１２ａを軸として回動され、前記吸込口の下部４ｄが開閉されるようになっている。
【００１５】
除湿運転が開始されると、例えば、図示しない制御部が、前記第一吸込ルーバ１０を閉じて、前面吸込口の上部４ａを隠蔽し、前記第二吸込ルーバ１１及び前記開閉蓋１２を開放して前記上面吸込口４ｂ及び吸込口の下部４ｄを開放する。
そして、前記熱交換器７の垂直部７ａに冷媒を流して蒸発器として動作させ、後方傾斜部７ｂと下方傾斜部７ｃには冷媒を流さないか、又は垂直部７ａで蒸発して暖められた冷媒を流し、また、前記再熱用ヒータ８に電流を流すように制御される。
このように制御されることにより、第二吸込ルーバ１１を介して上面吸込口４ｂより吸い込まれた室内空気は熱交換器７の後方傾斜部７ｂと下方傾斜部７ｃを通過してもあまり冷やされず、この通過した空気は再熱用ヒータ８により暖められる。
一方、前記開閉蓋１２を介して吸込口の下部４ｄから吸い込まれた空気は、前記熱交換器７の垂直部７ａにより冷やされて、空気中の水分が凝縮されて取り除かれ、この冷やされた空気は、送風機９により撹拌されて前記再熱用ヒータ８により暖められた空気と混合され、吹出口５から室内に送風される。
しかるに、前記開閉蓋１２は吹出口５に極めて近接して設けられているため、吹出口５に設けられている上下風向板４１を上方に向けることにより、吹出口５から第４の吸込口４ｄに戻るショートサーキットが形成されて効率よく除湿され、この除湿された空気が室内に送風される。
【００１６】
また、図２に示すように、前記開閉蓋１２の重心１２ｇは、同開閉蓋１２を閉じた状態で、同開閉蓋１２の回動軸１２ａからの垂線ｈより前方に配設されている。
これにより、開閉蓋１２の下端が開閉蓋１２の重みにより前記前面パネル３に安定して当接されるので、作動中の振動によるビビリ音の発生を低減することができる。
また、図２に示すように、前記摺動板１３の上端と前面パネル３とに設けたバネ掛け部に引っ張りコイルバネ１７を掛けて、同引っ張りコイルバネ１７により摺動板１３を引っ張り上げるようにしている。
これにより、前記コイルバネ１７が常に前記開閉蓋１２を閉じる方向に付勢するので、開閉蓋１２を閉じた時、開閉蓋１２の下端を前面パネル３に付勢して当接され、振動によるビビリ音が発生しないようにすることができる。
【００１７】
図３は本発明による空気調和機の他の実施例を示す要部拡大図である。
本実施例の場合、前記摺動板１３の一部に切起し１３ｂを設ける一方、前記前面パネル３の裏面に、同切起し１３ｂに平行なバネ台３ｂを設け、同切起し１３ｂとバネ台３ｂとの間に圧縮コイルバネ１７’を設け、前記摺動板１３を上方に付勢することにより、図２の実施例と同様の効果を得るようにしている。
【００１８】
図４は本発明による空気調和機の他の実施例を示す要部拡大図である。
本実施例の場合、前記開閉蓋１２の回動軸１２ａにネジリコイルバネ１７’’を装着し、開閉蓋１２を常に閉じる方向に付勢するようにしている。
これにより図２、図３の実施例と同様に、振動によるビビリ音が発生しないようにすることができる。
【００１９】
【発明の効果】
以上説明したように、ベースと同ベースの前面に装着される前面パネルと、同前面パネルの前面に開閉又は着脱可能に取り付けられる吸込グリルとで本体を構成し、前記前面パネルの前面および上面とに夫々吸込口を設け、前面下部に吹出口を設け、これら吸込口と吹出口とを結ぶ空気通路に、側面視で逆Ｖ字状をなす熱交換器と、前記熱交換器の風下側に再熱用ヒータと、送風ファンとを設け、
前記吸込グリルに、同吸込グリルに回動自在に軸支されて、前記前面吸込口の下部を下端から開閉する開閉蓋と、同前面吸込口の上部を上端から開閉するように上下に配置された複数の第一吸込ルーバと、前記上面吸込口を前端から開閉するように前後に配置された複数の第二吸込ルーバとを備え、
前記前面パネルの裏面に、前記開閉蓋、第一吸込ルーバ及び第二吸込ルーバをそれぞれ回動させる駆動部を設けてなる空気調和機において、
前記開閉蓋を、その重心が同開閉蓋を閉じた状態で、回動軸からの垂線より前方となるように構成したので、開閉蓋が閉じられた状態で、開閉蓋の自重によりその下端部を前面パネルに押し付け、振動によるビビリ音が発生しないようにすることができる。
また、コイルバネにより開閉蓋の下端部を前面パネルに付勢することにより、振動によるビビリ音が発生しないようにすることができる。
【図面の簡単な説明】
【図１】従来及び本発明による空気調和機を示す要部側断面図である。
【図２】本発明による空気調和機の一実施例を示す要部拡大図である。
【図３】本発明による空気調和機の他の実施例を示す要部拡大図である。
【図４】本発明による空気調和機の他の実施例を示す要部拡大図である。
【符号の説明】
１  本体
２  ベース
３  前面パネル
３’  吸込グリル
４  吸込口
４ａ  前面吸込口の上部
４ｂ  上面吸込口
４ｃ  中間吸込口
４ｄ  前面吸込口の下部
５  吹出口
６  空気通路
７  熱交換器
７ａ  垂直部
７ｂ  後方傾斜部
７ｃ  下方傾斜部
８  再熱用ヒータ
９  送風ファン
１０  第一吸込ルーバ
１１  第二吸込ルーバ
１２  開閉蓋
１２ａ  回動軸
１２ｂ  連結レバー
１２ｇ  重心
１３  摺動板
１３ａ  連結部
１３ｂ  切起し
１４  摺動板押さえ
１５  方向変換部
１６  ステッピングモータ
１７  引っ張りコイルバネ
１７’圧縮コイルバネ
１７’’  ネジリコイルバネ
【図１】
0004474809.tif 000002
【図２】
0004474809.tif 000003
【図３】
0004474809.tif 000004
【図４】
0004474809.tif 000005